(57)【要約】  本発明は、マシンのユーザインタフェースの容易化の解決策に関し、グラフィカルユーザインタフェースにおいて選択されたオブジェクトを第１のサイズにサイズ変更するステップと、選択されていないオブジェクトを第２のサイズにサイズ変更するステップと、を含み、前記第１および第２のサイズは互いに異なりかつ選択前のサイズとも異なる。
2009541880.tif 000002
【特許請求の範囲】
【請求項１】
グラフィカルユーザインタフェース（ＧＵＩ）を実行するよう構成された処理部（１）と、
メモリ（２）と、
ユーザインタフェースに関するイベントを受信し処理するグラフィック処理プログラムと、
表示部（２０１）と、
を含み、前記処理部は、ユーザインタフェース選択を示す信号を受信し、初期サイズを有し前記ＧＵＩに表示されている選択されたオブジェクトを第１サイズにサイズ変更し、前記ＧＵＩの選択されていないオブジェクトを第２サイズにサイズ変更するよう前記グラフィック処理プログラムを使用するよう構成されており、前記第１サイズと前記第２サイズとは互いに異なりかつ前記初期サイズとも異なる、ことを特徴とするユーザ装置。
【請求項２】
携帯電話基地局、ＷｉＦｉアクセスポイント、Ｗｉｍａｘゲートウェイ等の基盤ゲートウェイと無線通信するための通信インタフェースをさらに含むことを特徴とする請求項１に記載のユーザ装置。
【請求項３】
前記処理部は、前記選択されたオブジェクトの色、光強度または階調を変更するよう構成されることを特徴とする請求項１または２に記載のユーザ装置。
【請求項４】
前記処理部は、あるサイズから他のサイズへの遷移の間、スケーラブルなベクトルグラフィックスを使用するよう構成されることを特徴とする請求項１乃至３の何れか一項に記載のユーザ装置。
【請求項５】
前記処理部は、設定時間の範囲の間、あるサイズから他のサイズへの遷移を生成するよう構成されることを特徴とする請求項１乃至４の何れか一項に記載のユーザ装置。
【請求項６】
前記設定時間は、数マイクロ秒から５秒の範囲であり、好適には１．５秒であることを特徴とする請求項５に記載のユーザ装置。
【請求項７】
前記処理部は、新規のオブジェクトが選択されるまで、前記サイズ変更されたオブジェクトのサイズを保持するよう構成されることを特徴とする請求項１乃至６の何れか一項に記載のユーザ装置。
【請求項８】
前記処理部は、０秒から６０秒の時間範囲の期間、前記サイズ変更されたオブジェクトのサイズを保持するよう構成されることを特徴とする請求項１乃至６の何れか一項に記載のユーザ装置。
【請求項９】
装置とのユーザインタラクションを容易にするための方法であって、
ユーザインタラクションを示す信号を受信するステップと、
前記受信した信号から決定される格納されたオブジェクトを選択するステップと、
グラフィカルユーザインタフェース（ＧＵＩ）内の選択されたオブジェクトのサイズを第１サイズにサイズ変更するステップと、
選択されていないオブジェクトのサイズを第２サイズにサイズ変更するステップと、
を含み、前記第１サイズと前記第２サイズとは互いに異なりかつサイズ変更前のサイズとも異なる、ことを特徴とする方法。
【請求項１０】
装置とのユーザインタラクションを容易にするためのコンピュータプログラム製品であって、
ユーザインタラクションを示す信号を受信し、
前記受信した信号から決定される格納されたオブジェクトを選択し、
グラフィカルユーザインタフェース（ＧＵＩ）内の選択されたオブジェクトのサイズを第１サイズにサイズ変更し、
選択されていないオブジェクトのサイズを第２サイズにサイズ変更する、
命令セットを含み、前記第１サイズと前記第２サイズとは互いに異なりかつサイズ変更前のサイズとも異なる、ことを特徴とするコンピュータプログラム製品。
【発明の詳細な説明】
【技術分野】
【０００１】
本発明は、コンピュータデバイスのユーザインタフェースを容易化の解決策に関し、特にユーザインタフェースのナビゲーション容易化に関するものである。
【背景技術】
【０００２】
我々は生活においてますますコンピュータ・デバイスに依存するようになってきている。そして、これらのデバイスは複雑な操作環境を提供している。コンピュータ・デバイス上のコンテンツのナビゲーションを容易にするためにグラフィカルユーザインタフェースは発達してきた。更に相互作用を容易にするために、情報の位置の決定および／または複雑あるいは情報リッチな環境におけるナビゲーションをユーザが出来るような特殊効果が発達してきた。例えば、ファイル構造内のナビゲーション、または、ファイル管理プログラムにおいて特定のファイルを選択するためのものに関し、選択されたオブジェクトはその色、階調または類似のものが変化し、または、非選択のオブジェクトに対するサイズを変更し、このようにして、ユーザは選択されたオブジェクトがどれであるかを容易に知ることが出来る。これは、ユーザとマシンとの間の相互作用を容易にする。
【発明の開示】
【発明が解決しようとする課題】
【０００３】
しかしながら、これらの効果は時々十分ではなく、例えば、小さな表示装置を利用ししばしば適切な照明状況の環境下で使用されない、ラップトップ、携帯電話またはパーソナルデジタル情報機器を考慮すると、表示装置上のオブジェクトを見るのが困難であり得る。
【０００４】
本発明は、この技術分野においてインタフェースをさらに容易にするための解決策を提供することを目的としている。
【課題を解決するための手段】
【０００５】
様々な態様が提供され、第１の態様では、
グラフィカルユーザインタフェース（ＧＵＩ）を実行するよう構成された処理部と、
メモリと、
ユーザインタフェースに関するイベントを受信し処理するグラフィック処理プログラムと、
表示部と、
を含み、前記処理部は、ユーザインタフェース選択を示す信号を受信し、初期サイズを有し前記ＧＵＩに表示されている選択されたオブジェクトを第１サイズにサイズ変更し、前記ＧＵＩの選択されていないオブジェクトを第２サイズにサイズ変更するよう前記グラフィック処理プログラムを使用するよう構成されており、前記第１サイズと前記第２サイズとは互いに異なりかつ前記初期サイズとも異なる。
【０００６】
前記装置は、携帯電話基地局、ＷｉＦｉアクセスポイント、Ｗｉｍａｘゲートウェイ等の基盤ゲートウェイと無線通信するための通信インタフェースをさらに含む。
【０００７】
前記処理部は、前記選択されたオブジェクトの色、光強度または階調を変更するよう構成される。前記処理部は、あるサイズから他のサイズへの遷移の間、スケーラブルなベクトルグラフィックスを使用するよう構成される。
【０００８】
前記処理部は、設定時間の範囲の間、あるサイズから他のサイズへの遷移を生成するよう構成される。前記設定時間は、数マイクロ秒から５秒の範囲であり、好適には１．５秒である。
【０００９】
前記処理部は、新規のオブジェクトが選択されるまで、前記サイズ変更されたオブジェクトのサイズを保持するよう構成される。前記処理部は、０秒から６０秒の時間範囲の期間、前記サイズ変更されたオブジェクトのサイズを保持するよう構成される。
【００１０】
本発明の他の態様では、装置とのユーザインタラクションを容易にするための方法が提供され、
ユーザインタラクションを示す信号を受信するステップと、
前記受信した信号から決定される格納されたオブジェクトを選択するステップと、
グラフィカルユーザインタフェース（ＧＵＩ）内の選択されたオブジェクトのサイズを第１サイズにサイズ変更するステップと、
選択されていないオブジェクトのサイズを第２サイズにサイズ変更するステップと、
を含み、前記第１サイズと前記第２サイズとは互いに異なりかつサイズ変更前のサイズとも異なる。
【００１１】
本発明のさらに他の態様では、装置とのユーザインタラクションを容易にするためのコンピュータプログラム製品が提供され、
ユーザインタラクションを示す信号を受信し、
前記受信した信号から決定される格納されたオブジェクトを選択し、
グラフィカルユーザインタフェース（ＧＵＩ）内の選択されたオブジェクトのサイズを第１サイズにサイズ変更し、
選択されていないオブジェクトのサイズを第２サイズにサイズ変更する、
命令セットを含み、前記第１サイズと前記第２サイズとは互いに異なりかつサイズ変更前のサイズとも異なる。
【発明を実施するための最良の形態】
【００１２】
以下では、本発明が非限定の方法で記載されており、さらに添付の図面で示される例示的実施形態を参照してより詳細に記載されている。
【００１３】
図１において、参照番号１０は一般に本発明のコンピュータ装置を示し、当該装置はデスクトップまたはラップトップのコンピュータ、パーソナルデジタル情報機器（ＰＤＡ）、携帯電話、スマートフォン、デジタルカメラまたはデジタル音楽プレーヤ（例えばＭＰ３プレーヤ）またはこれらの組み合わせであってもよい。装置１０は、処理ユニット１、揮発性または不揮発性のメモリ２、ユーザインタフェース・ユニット３を含み、オプションで１以上の通信インタフェース４を含む。
【００１４】
処理ユニットは、例えば、マイクロプロセッサ、コンピュータプロセッサ、ＤＳＰ（デジタル・シグナル・プロセッサ）、ＦＰＧＡ（フィールド・プログラマブル・ゲートアレイ）、ＡＳＩＣ（特定用途向けＩＣ）、あるいは、ソフトウェア命令および／またはコンピュータ処理の取り扱いが可能な他の任意の適切な処理ユニットであり得る。
【００１５】
メモリ２は、例えば、ＲＡＭ、ハードディスク、フラッシュメモリ、種々のバージョンのセキュアデジタル（ＳＤ）、種々のバージョンまたはバリエーションのメモリースティック、およびＥＥＰＲＯＭのような、当業者に公知の任意の適切なメモリを含み得る。
【００１６】
ユーザインタフェース３は、ＧＵＩ（グラフィカルユーザインタフェース）表示内の情報の表示の制御をするよう構成される。情報は、処理ユニット１により提供され得る。ユーザインタフェース・ユニットは、処理ユニットに組み込まれ得る。
【００１７】
ユーザインタフェース・ユニットは、ディスプレイ装置（不図示）、キーボードまたは類似の制御ユニットのようなユーザインタフェースに接続され、オプションで、デバイス種別およびアプリケーション領域に依存する他のユーザインタフェース装置に接続される（例えば、携帯電話ではマイクロホンおよびスピーカが接続されている）。これは、図２に関して後述する。
【００１８】
オプションで、通信インタフェース４は提供される。通信インタフェースは、任意の適切な物理通信チャネル上のパケットベースのインタフェースプロトコルを例えば使用している。物理通信チャネルは、デバイス種別に従った有線あるいは無線であり得る。例えば、デスクトップまたはラップトップのコンピュータを使用する場合、しばしばインタフェースはイーサネット（登録商標）接続による有線接続であり、あるいは、何らかの無線プロトコル上（例えば、ＷｉＦｉ、Ｗｉｍａｘ、Ｗｉｂｒｏまたは任意の無線ネットワークプロトコル（例えば、ＰＡＮ、ＰＡＮ、ＬＡＮ（ＷＬＡＮ）またはＲＡＮ）：ＩＥＥＥ  ８０２．１１、８０２．１５、８０２．１６、８０２．２０、８０２．２２シリーズのプロトコル）に基づく何らかの他のプロトコルでのイーサネット（登録商標）を使用する無線接続であり得、携帯電話では、物理チャネルは、例えば、ＥＶＤＯ、ＣＤＭＡ、ＥＤＧＥ、ＧＰＲＳ、ＨＳＤＰＡまたはＵＭＴＳであり得る。また、通信チャネルは、回線交換特性（例えばＧＳＭ）またはこれらの組合せであってもよい。
【００１９】
一例として、ユーザインタフェースを有する携帯電話の使用に言及することが出来る。図２は、表示ユニット２０１（例えば図１のインタフェース・ユニット３により制御される）、複数のインタフェース・ボタン（例えば、数字０〜９、＊および＃のボタン）を有するキーパッド２０３、および好適には、１以上の制御ボタン（例えば、Ｏｋ、消去、メニュー、選択、クイック・インタフェースなど：これらの機能は１つのボタンに組み込まれ得る）２０４、２０５、を有する携帯電話２００の例を示す。また、電話は、カメラ２０２を備え得る。また、電話は、マイクロホンおよびスピーカを備え得る。しかしながらこれらは図示されていない。さらに、電話は、他のタイプの物理インタフェース（不図示）を備え得、例えば、ハンズフリー（有線または無線）通信リンク、充電器接続、取り外し可能な記憶媒体などがある。
【００２０】
図３において、参照番号３００は、一般に、ユーザインタフェース画面を示し、この場合図で象徴されるファイル構造のフォルダ３０２、３０３を含む表示領域３０１を有する。図３のＡにおいて、フォルダ３０２が選択されると、図３のＢで選択されたフォルダ３０２は、（通常サイズの）選択されていないフォルダ３０３より大きいサイズにサイズ変更される。また、図３のＢでは、選択されたフォルダと選択されていないフォルダとの間の違いを強調するため、選択されていないフォルダ３０３はより小さいサイズにサイズ変更されている。表示は望ましくはグラフィカルユーザインタフェース（ＧＵＩ）である。ＧＵＩでのオブジェクトの選択は、選択ツール（例えばカーソル）を使用したオブジェクトのクリック、または、単に選択ツールのオブジェクト上への移動、あるいは、タップデバイス（ペン）によるタップによってなされ得る。
【００２１】
また、選択されたオブジェクトをオリジナルのサイズより小さいサイズにサイズ変更し、その場合、選択されていないオブジェクトはオリジナルのサイズより大きいサイズにサイズ変更され得る。しかしながら、選択されたオブジェクトと選択されていないオブジェクトとが互いに異なるサイズでありかつオリジナルのサイズとも異なる限り、他のサイズの組み合わせも使用され得る。
【００２２】
更に選択されたオブジェクトを強調するために、選択されていないオブジェクトを完全に除去されるかもしれない。
【００２３】
一実施例においては、また、背景全体（またはアプリケーション内で選択がなされた場合、アプリケーション全体）のサイズが縮小され得、背景からのズーム効果となる（背景を大きくする視覚的効果でも良く、例えば、スクリーン画面全体が縮小された場合に通常スクリーン境界の外側に隠される情報が表示されるかもしれない）。
【００２４】
（観察者にとって）通常サイズからのサイズ変更の遷移は、瞬時から数秒（例えば、数マイクロ秒から５秒）の範囲の時間間隔の間で実行され得、好適には１．５秒のオーダで実行される。遷移は半永続的（すなわち選択が継続する間継続する）な遷移として実行され得、あるいは、時間間隔の間のみ（０秒、数秒、最大で数分）で継続され得る。これらの種類の構成は、ディスプレイ特性のための制御パラメータを設定および変更するユーザインタフェースを介して設定可能であっても良い。
【００２５】
更に効果を強化するために、選択されたオブジェクトおよび／または選択されていないオブジェクトの色および／または階調をサイズ変更と共に変更しても良い。
【００２６】
本発明に従った解決策を使用するアプリケーションは、例えば、ＳＶＧ（スケーラブルベクトルグラフィックス）および／または操作システムに組み込まれたグラフィックス処理ルーチン（例えば、ＯｐｅｎＧＬ、ＤｉｒｅｃｔＸ）を使用し得、グラフィック処理ハードウェア装置にインタフェースすることによりオブジェクト画像の高品質スケーラブルなバージョンを提供するための類似のものを使用しても良い。
【００２７】
図４は、本発明に従う方法を示しており、
４０１．  グラフィカルユーザインタフェース（ＧＵＩ）を使用して、ファイル構造内のオブジェクトを選択するステップ、
４０２．  ＧＵＩ内のオブジェクトをあるサイズにサイズ変更するステップ、
４０３．  同じＧＵＩ内に表示されている非選択のオブジェクトを他のサイズにサイズ変更するステップ、
４０４．  選択されたオブジェクトとのインタラクションをユーザに許可するステップ、
の各ステップを含んでいる。
【００２８】
デバイス１の操作システムにおいて、任意のタイプのアプリケーションの使用のためのこの種の特徴を有する一般のアプリケーション資源ソフトウェアと共に２００が提供されるかもしれない。本発明は、操作システムのファイル管理プログラムに限定されることは無く、例えばワードプロセッサ、画像管理プログラム、ネットワーク管理プログラムおよび通信管理プログラムのようなアプリケーションにおいても適用されうる。
【００２９】
”含む（comprising）”の用語はリストされた要素以外の他の要素またはステップの存在を排除することは無く、要素に先行する”１つの（a）”および”１つの（an）”は、その要素が複数存在することを排除することは無いことに注意する。本発明は、少なくとも一部は、ソフトウェアまたはハードウェアにより実現される。さらに、何れの参照符号も、特許請求の範囲を限定することは無く、いくつかの”手段（means）”、”装置(device)”および”ユニット（unit）”はハードウェアの同じ部材により表されている点に注意すべきである。
【００３０】
上で説明し記載した実施例は単に例示であり、本発明を限定するものではない。特許請求の範囲で請求される本発明の範囲内において、他の解決法、使用、目的および機能が当業者にとって明らかであるべきである。
【００３１】
（定義および略語）
ＣＤＭＡ  符号分割多元接続
ＥＤＧＥ  ＧＳＭ進化のための拡張データレート
ＥＶＤＯ  エボリューション・データ最適化
ＧＰＲＳ  汎用パケット無線システム
ＧＵＩ  グラフィカル・ユーザ・インタフェース
ＨＳＤＰＡ  高速ダウンリンク・パケット・アクセス
ＩＥＥＥ  電気電子学会
ＬＡＮ  ローカル・エリア・ネットワーク
ＰＡＮ  パーソナル・エリア・ネットワーク
ＲＡＮ  リージョナル・エリア・ネットワーク
ＵＭＴＳ  ユニバーサルモバイル通信システム
ＷＡＮ  ワイド・エリア・ネットワーク
ＷＬＡＮ  無線ＬＡＮ
【図面の簡単な説明】
【００３２】
【図１】本発明による装置を示す図である。
【図２】本発明についての例示の実施例を示す図である。
【図３】本発明についての例示の実施例を示す図である。
【図４】本発明による方法を示す図である。
【図１】
2009541880.tif 000003
【図２】
2009541880.tif 000004
【図３】
2009541880.tif 000005
【図４】
2009541880.tif 000006
【手続補正書】
【提出日】平成20年4月28日(2008.4.28)
【手続補正１】
【補正対象書類名】特許請求の範囲
【補正対象項目名】全文
【補正方法】変更
【補正の内容】
【特許請求の範囲】
【請求項１】
グラフィカルユーザインタフェース（ＧＵＩ）を実行するよう構成された処理部（１）と、
メモリ（２）と、
ユーザインタフェースに関するイベントを受信し処理するグラフィック処理プログラムと、
表示部（２０１）と、
を含み、前記処理部は、ユーザインタフェース選択を示す信号を受信し、初期サイズを有し前記ＧＵＩに表示されている選択可能オブジェクトの中の選択されたオブジェクトを第１サイズにサイズ変更し、前記ＧＵＩの選択されていないオブジェクトを第２サイズにサイズ変更し、前記ＧＵＩの背景全体を縮小するよう前記グラフィック処理プログラムを使用するよう構成されており、前記第１サイズと前記第２サイズとは互いに異なりかつ前記初期サイズとも異なる、ことを特徴とするユーザ装置。
【請求項２】
前記第１サイズは前記初期サイズよりも小さく、前記第２サイズは前記初期サイズよりも大きい、ことを特徴とする請求項１に記載のユーザ装置。
【請求項３】
携帯電話基地局、ＷｉＦｉアクセスポイント、Ｗｉｍａｘゲートウェイ等の基盤ゲートウェイと無線通信するための通信インタフェースをさらに含むことを特徴とする請求項１または２に記載のユーザ装置。
【請求項４】
前記処理部は、前記選択されたオブジェクトの色、光強度または階調を変更するよう構成されることを特徴とする請求項１乃至３の何れか一項に記載のユーザ装置。
【請求項５】
前記処理部は、あるサイズから他のサイズへの遷移の間、スケーラブルなベクトルグラフィックスを使用するよう構成されることを特徴とする請求項１乃至４の何れか一項に記載のユーザ装置。
【請求項６】
前記処理部は、設定時間の範囲の間、あるサイズから他のサイズへの遷移を生成するよう構成され、前記設定時間は、数マイクロ秒から５秒の範囲であり、好適には１．５秒である、ことを特徴とする請求項１乃至５の何れか一項に記載のユーザ装置。
【請求項７】
前記処理部は、新規のオブジェクトが選択されるまで、前記サイズ変更されたオブジェクトのサイズを保持するよう構成されることを特徴とする請求項１乃至６の何れか一項に記載のユーザ装置。
【請求項８】
前記処理部は、０秒から６０秒の時間範囲の期間、前記サイズ変更されたオブジェクトのサイズを保持するよう構成されることを特徴とする請求項１乃至６の何れか一項に記載のユーザ装置。
【請求項９】
装置とのユーザインタラクションを容易にするための方法であって、
ユーザインタラクションを示す信号を受信するステップと、
前記受信した信号から決定される、選択可能オブジェクトの中の格納されたオブジェクトを選択するステップと、
グラフィカルユーザインタフェース（ＧＵＩ）内の選択されたオブジェクトのサイズを第１サイズにサイズ変更するステップと、
選択されていないオブジェクトのサイズを第２サイズにサイズ変更するステップと、
前記ＧＵＩの背景全体を縮小するステップと、
を含み、前記第１サイズと前記第２サイズとは互いに異なりかつサイズ変更前のサイズとも異なる、ことを特徴とする方法。
【請求項１０】
装置とのユーザインタラクションを容易にするためのコンピュータプログラム製品であって、
ユーザインタラクションを示す信号を受信し、
前記受信した信号から決定される、選択可能オブジェクトの中の格納されたオブジェクトを選択し、
グラフィカルユーザインタフェース（ＧＵＩ）内の選択されたオブジェクトのサイズを第１サイズにサイズ変更し、
選択されていないオブジェクトのサイズを第２サイズにサイズ変更し、
前記ＧＵＩの背景全体を縮小する、
命令セットを含み、前記第１サイズと前記第２サイズとは互いに異なりかつサイズ変更前のサイズとも異なる、ことを特徴とするコンピュータプログラム製品。
【国際調査報告】
2009541880.tif 000007
2009541880.tif 000008
2009541880.tif 000009